(57)【要約】  【課題】  簡易な構造によりコネクタの半嵌合防止及び抜け防止を図り、部品コストを低減し、かつ、作業性を改善する。  【解決手段】  電気接続箱２０に第１コネクタ収容部２１と第２コネクタ収容部２２を隣接させて設けている一方、第１コネクタ収容部２１に嵌合する第１コネクタ１０に第２コネクタ収容部２２側へ突出する突起１１を設ける一方、該突起１１が挿入する切欠を第２コネクタ収容部２２の周壁先端から底面にかけて設け、第１コネクタ収容部２１に第１コネクタ１０を挿入すると、突起１１が切欠２２ｂを通して第２コネクタ収容部２２内に突出され、第１コネクタ収容部２１の正規位置まで嵌合されていないと突起１１が第２コネクタ収容部２２に挿入する第２コネクタ１５の底面に干渉する構成としている。  【選択図】図５
2005108498.tif 000002
【特許請求の範囲】
【請求項１】
電気接続箱に第１コネクタ収容部と第２コネクタ収容部を隣接させて設けている一方、
上記第１コネクタ収容部に嵌合する第１コネクタに取り付けるカバーあるいは第１コネクタに第２コネクタ収容部側へ突出する突起を設ける一方、該突起が挿入する切欠を上記第２コネクタ収容部の周壁先端から底面にかけて設け、
上記第１コネクタ収容部に上記第１コネクタを挿入すると、上記突起が切欠を通して上記第２コネクタ収容部内に突出され、正規嵌合位置に達すると第２コネクタ収容部の底面の切欠に嵌合して上記突起の上面が上記第２コネクタ収容部の底面と同一平面上に配置される一方、上記第１コネクタ収容部の正規位置まで嵌合されていないと上記突起が上記第２コネクタ収容部に挿入する第２コネクタの底面に干渉する構成としていることを特徴とするコネクタの半嵌合検知構造。
【請求項２】
上記カバーの上壁と上記第１コネクタの上面との間にバネを張架すると共に、該カバーと上記第１コネクタ収容部との間にロック部を設け、第１コネクタ収容部内で第１コネクタが正規位置に嵌合された状態で上記カバーと第１コネクタ収容部とがロックされる構成としている請求項１に記載のコネクタの半嵌合検知構造。
【発明の詳細な説明】
【技術分野】
【０００１】
本発明は、コネクタの半嵌合検知構造に関し、特に、エアバック回路の電線に接続されるコネクタの半嵌合を確実に防止するものである。
【背景技術】
【０００２】
従来、エアバック等の重要回路のワイヤハーネス端末に接続されたコネクタを電気接続箱のコネクタ収容部に確実に嵌合し、かつ、嵌合された状態より誤って外れたりしないよう、二重ロック構造を用いてコネクタ接続の安全性を高めている場合が多い。
例えば、図８（Ａ）に示すように、実公平５−４５０６３号公報等に開示されているようなロック構造が提案されている。
図８（Ａ）に示す電気接続箱１の外面には第１コネクタ収容部２と第２コネクタ収容部３が隣接して突設されており、第１コネクタ収容部２と第２コネクタ収容部３の間に設けられた軸受にコイルバネ６を巻装したピン軸５を支持させることにより断面略Ｌ字形状のロッキングカバー４を起倒自在に支持すると共に、ロッキングカバー４はコイルバネ６により隣接するコネクタ収容部３を覆うように付勢されている。また、ロッキングカバー４の側面には係止孔４ａが穿設されていると共に、第１コネクタ収容部２の側壁の対応する位置に係止爪２ａが突出している。
【０００３】
図８（Ｂ）に示すように、ワイヤハーネスの端末に接続された第１コネクタ７を第１コネクタ収容部２に嵌合接続した後、ロッキングカバー４をコイルバネ６に抗して回動させ、ロッキングカバー４の係止孔４ａを第１コネクタ収容部２の係止爪２ａに係止することにより第１コネクタ７をロッキングカバー４で上方より押さえ込んで２重にロックすることで第１コネクタ７の抜け防止および半嵌合防止を図ることができる。
そして、ロッキングカバー４を回動させた後、第２コネクタ８を第２コネクタ収容部３に嵌合接続している。この際、ロッキングカバー４を回動させて第１コネクタ７のロック作業を行わなければ、第２コネクタ８を第２コネクタ収容部３に嵌合することはできないようになっているため、ロッキングカバー４のロック作業忘れを防止することができる。
【０００４】
しかしながら、図８（Ａ）（Ｂ）に示す構造では、ロッキングカバー４及び付勢部材としてのコイルスプリング６を必要としているため、部品コストが掛かると共に、コイルスプリング６をピン軸５に組み付ける手間も必要となり作業工数も増大する問題がある。
また、第１コネクタ７を第１コネクタ収容部２に嵌合接続した後、ロッキングカバー４をコイルバネ６に抗して回動させ、ロッキングカバー４を第１コネクタ収容部２に係止しなければならず、コネクタ嵌合作業の工数が増大する問題もある。
さらに、第１コネクタ収容部２と第２コネクタ収容部３の間にロッキングカバー４を配置して回動させるスペースが必要となり、第１コネクタ収容部２と第２コネクタ収容部３を近接した位置に設けることができない問題もある。
さらにまた、ロッキングカバー４はコイルスプリング６により第２コネクタ収容部３側へと開いた状態に付勢しているが、電気接続箱１の搬送時、或いは、車両へ組付時の振動などにより、ロッキングカバー４が回動して係止孔４ａが第１コネクタ収容部２の係止爪２ａに誤って係止されてしまう恐れがあり、係止解除作業はわざわざ冶具等を用いて行わねばならず非常に面倒となる問題もある。
【特許文献１】実公平５−４５０６３号公報
【発明の開示】
【発明が解決しようとする課題】
【０００５】
本発明は上記問題に鑑みてなされたものであり、コネクタの半嵌合防止及び抜け防止用のロッキングカバーを不要として、部品コストを低減し、かつ、作業性を改善することを課題としている。
【課題を解決するための手段】
【０００６】
上記課題を解決するため、本発明は、電気接続箱に第１コネクタ収容部と第２コネクタ収容部を隣接させて設けている一方、
上記第１コネクタ収容部に嵌合する第１コネクタに取り付けるカバーあるいは第１コネクタに第２コネクタ収容部側へ突出する突起を設ける一方、該突起が挿入する切欠を上記第２コネクタ収容部の周壁先端から底面にかけて設け、
上記第１コネクタ収容部に上記第１コネクタを挿入すると、上記突起が切欠を通して上記第２コネクタ収容部内に突出され、正規嵌合位置に達すると第２コネクタ収容部の底面の切欠に嵌合して上記突起の上面が上記第２コネクタ収容部の底面と同一平面上に配置される一方、上記第１コネクタ収容部の正規位置まで嵌合されていないと上記突起が上記第２コネクタ収容部に挿入する第２コネクタの底面に干渉する構成としていることを特徴とするコネクタの半嵌合検知構造を提供している。
【０００７】
上記構成とすると、第１コネクタが第１コネクタ収容部の正規嵌合位置に達すると、突起の上面が第２コネクタ収容部の底面と同一平面上に配置され、第２コネクタの底面に干渉しないため、第２コネクタを第２コネクタ収容部に嵌合することができる。一方、第１コネクタが第１コネクタ収容部に嵌合されず半嵌合状態であると、第１コネクタに設けた突起が第２コネクタ収容部内に突出されて、第２コネクタ収容部に挿入する第２コネクタの底面に干渉するため、第２コネクタの挿入作業により第１コネクタが半嵌合であることを検知することができる。これにより、重要回路等においてコネクタの半嵌合により生じる接触不良をなくし、電気接続の信頼性を向上させることができる。
また、第２コネクタの底面に第１コネクタの突起が干渉した状態で、第２コネクタを嵌合位置まで押し込むと、上記突起も下方に押し下げられて第１コネクタを第１コネクタ収容部に嵌合させることができる。第１、第２コネクタがそれぞれ第１、第２コネクタ収容部に嵌合した状態であると、第１コネクタの突起が第２コネクタの下方位置に配置されているため、第１コネクタが第１コネクタ収容部から抜けようとすると、第１コネクタの突起が第２コネクタの底面に干渉して第１コネクタの抜けを防止することができる。
さらに、第１コネクタあるいは第１コネクタに取り付けるカバーに突起を設けるだけの簡易な構造であり、従来のようにロッキングカバーを設ける必要がないため、コストを低減し、作業性を向上させることができ、かつ、ロッキングカバーを回動させるスペースが不要となり第１コネクタ収容部と第２コネクタ収容部とを近接した位置に設けることができる。
【０００８】
上記第１コネクタに上記カバーを取り付ける場合には、上記カバーの上壁と上記第１コネクタの上面との間にバネを張架すると共に、該カバーと上記第１コネクタ収容部との間にロック部を設け、第１コネクタ収容部内で第１コネクタが正規位置に嵌合された状態で上記カバーと第１コネクタ収容部とがロックされる構成としている。
上記構成とすると、カバーの上壁と第１コネクタの上面との間に張架したバネにより第１コネクタが第１コネクタ収容部内に付勢されて、第１コネクタの抜けを防止することができる。
【発明の効果】
【０００９】
以上の説明より明らかなように、本発明によれば、第１コネクタが第１コネクタ収容部に嵌合されず半嵌合状態であると、第１コネクタに設けた突起が第２コネクタ収容部内に突出されて、第２コネクタ収容部に挿入する第２コネクタの底面に干渉するため、第２コネクタの挿入作業により第１コネクタが半嵌合であることを検知することができる。
また、第２コネクタの底面に第１コネクタの突起が干渉した状態で、第２コネクタを嵌合位置まで押し込むと、上記突起も下方に押し下げられて第１コネクタを第１コネクタ収容部に嵌合させることができる。第１、第２コネクタがそれぞれ第１、第２コネクタ収容部に嵌合した状態であると、第１コネクタの突起が第２コネクタの下方位置に配置されているため、第１コネクタが第１コネクタ収容部から抜けようとすると、第１コネクタの突起が第２コネクタの底面に干渉して第１コネクタの抜けを防止することができる。
さらに、第１コネクタあるいは第１コネクタに取り付けるカバーに突起を設けるだけの簡易な構造であり、従来のようにロッキングカバーを設ける必要がないため、コストを低減し、作業性を向上させることができ、かつ、ロッキングカバーを回動させるスペースが不要となり第１コネクタ収容部と第２コネクタ収容部とを近接した位置に設けることができる。
【発明を実施するための最良の形態】
【００１０】
本発明の実施形態を図面を参照して説明する。
図１乃至図５は、本発明の第１実施形態を示し、図１に示す第１コネクタ１０は、自動車のエアバック回路を構成するワイヤハーネスＷ／Ｈ１端末に接続するものである。第１コネクタ１０の下面１０ａから突起１１を側方に向けて突出し、該突起１１の上面１１ａは第１コネクタ１０の下面１０ａと同一平面上に位置する水平面としている。また、第１コネクタ１０の上面には８個の端子挿入口１２を設け、端子収容室（図示せず）と連通させ、第１コネクタ１０の後面側には可撓性を有するロック片１３を上方に向けて突出し、該ロック片１３の外面にロック爪１４を設けている。
【００１１】
電気接続箱２０には、図２に示すように、上記第１コネクタ１０を嵌合する第１コネクタ収容部２１と、第１コネクタ１０を接続したワイヤハーネスＷ／Ｈ１とは別回路を構成するワイヤハーネスＷ／Ｈ２の端末に接続する第２コネクタ１５を嵌合する第２コネクタ収容部２２を突設している。第１コネクタ収容部２１と第２コネクタ収容部２２は隣接させて設けており、第１コネクタ収容部２１と第２コネクタ収容部２２の底面２１ｄ、２２ｄの高さを同一としている。第１コネクタ収容部２１のフード２１ａと第２コネクタ収容部２２のフード２２ａの対向壁には、対向する位置に突起挿通用の切欠２１ｂ、２２ｂをフード２１ａ、２２ａの上端から下端にかけて切り欠いて設けている。該切欠２１ｂ、２２ｂの下端は第１コネクタ収容部２１の底面から第２コネクタ収容部２２の底面に亙って設けた第１コネクタ１０の突起１１と略同形状の突起収容用の切欠２３により連結されている。また、第１コネクタ収容部２１には、エアバック回路を構成するバスバータブ２５を内部に突出する一方、第２コネクタ収容部２２には、別回路を構成するバスバータブ２６を内部に突出し、第１、第２コネクタ収容部２１、２２のフード２１ａ、２２ａの内面には、それぞれ第１、第２コネクタ１０、１５を係止するロック爪２１ｃ、２２ｃを設けている。
【００１２】
第２コネクタ収容部２２に嵌合する第２コネクタ１５は、第１コネクタ１０を接続したワイヤハーネスＷ／Ｈ１とは別回路を構成するワイヤハーネスＷ／Ｈ２の端末に接続するものであり、第１コネクタ１０と略同形状としているが、突起を設けていない点で第１コネクタ１０と相違する。
【００１３】
第１コネクタ１０を第１コネクタ収容部２１に挿入すると、図３に示すように、第１コネクタ１０の突起１１が第１、第２コネクタ収容部２１、２２の切欠２１ｂ、２２ｂに挿通されて、その先端が第２コネクタ収容部２２内に突出される。
【００１４】
第１コネクタ１０を第１コネクタ収容部２１に挿入し正規嵌合位置まで達すると、第１コネクタ１０内の端子（図示せず）が第１コネクタ収容部内に突出させたバスバータブ２５に嵌合される。このとき、第１コネクタ１０の突起１１は、図４に示すように、電気接続箱２０の上面に設けた切欠２３内に収容され、突起１１の上面１１ａが第２コネクタ収容部２２の底面２２ｄと同一平面上に配置される。この状態で、第２コネクタ収容部２２に第２コネクタ１５を挿入すると、第２コネクタ１５に第１コネクタ１０の突起１１が干渉せず、第２コネクタを第２コネクタ収容部２２に嵌合することができる。
【００１５】
一方、図５に示すように、第１コネクタ１０が第１コネクタ収容部２１に半嵌合状態であると、第１コネクタ１０の突起１１が第２コネクタ収容部２２内に突出され、この状態で第２コネクタ収容部に第２コネクタ１５を挿入すると、突起１１が第２コネクタ１５の底面に干渉する。
【００１６】
上記構成とすると、第１コネクタ１０が第１コネクタ収容部２１に嵌合されず半嵌合状態であると、第１コネクタ１０に設けた突起１１が第２コネクタ収容部２２内に突出されて、第２コネクタ収容部２２に挿入する第２コネクタ１５の底面に干渉するため、第２コネクタ１５の挿入作業により第１コネクタ１０が半嵌合であることを検知することができる。
また、第２コネクタ１５の底面に第１コネクタ１０の突起１１が干渉した状態で、第２コネクタ１５を嵌合位置まで押し込むと、上記突起１１も下方に押し下げられて第１コネクタ１０を第１コネクタ収容部２１に嵌合させることができる。第１、第２コネクタ１０、１５がそれぞれ第１、第２コネクタ収容部２１、２２に嵌合した状態であると、第１コネクタ１０の突起１１が第２コネクタ１５の下方位置に配置されているため、第１コネクタ１０が第１コネクタ収容部２１から抜けようとすると、第１コネクタ１０の突起１１が第２コネクタ１５の底面に干渉して第１コネクタ１０の抜けを防止することができる。
【００１７】
図６及び図７は、本発明の第２実施形態を示し、第１コネクタ１０’に突起を設けず、第１コネクタ１０’に被せて取り付けるカバー３０に突起３３を設けている点で第１実施形態と相違する。
【００１８】
第１コネクタ１０’に取り付けるカバー３０は、第１コネクタ１０’の後端側上面を覆う上壁３１と該上壁３１の両端及び後端から第１コネクタ１０’の側面に沿って垂下する側壁３２とからなる。図中右側壁３２の下端から側方に向けて突出する突起３３を設けると共に、後端側の側壁３２から可撓性を有するロック片３４を設け、該ロック片３４に第１コネクタ収容部２１’のロック部と係止するロック爪３５を設けている。該カバー３０を第１コネクタ１０’に取り付けた状態で、カバー３０の上壁３１と第１コネクタ１０’の上面との間に上下に伸縮する２本のバネ４０が張架されている。
【００１９】
上記構成としても、第１コネクタ１０’が第１コネクタ収容部２１’に嵌合されず半嵌合状態であると、第１コネクタ１０’のカバー３０に設けた突起３３が第２コネクタ１５’の底面に干渉するため、第１コネクタ１０’が半嵌合であることを検知することができる。
また、第２コネクタ１５’の底面に突起３３が干渉した状態で、第２コネクタ１５’を嵌合位置まで押し込むと、上記突起３３も下方に押し下げられて第１コネクタ１０’を第１コネクタ収容部２１’に嵌合させることができる。第１、第２コネクタ１０’、１５’がそれぞれ第１、第２コネクタ収容部２１’、２２’に嵌合した状態であると、突起３３が第２コネクタ１５’の下方位置に配置されているため、突起３３が第２コネクタ１５’の底面に干渉して第１コネクタ１０’の抜けを防止することができる。
さらに、第１コネクタ１０’に取り付けているカバー３０を第１コネクタ収容部２１’にロック固定すると、バネ４０により第１コネクタ１０’が第１コネクタ収容部２１’内に付勢されて、第１コネクタ１０’の抜けを防止することができる。
なお、他の構成及び作用効果は第１実施形態と同様のため、同一の符号を付して説明を省略する。
【図面の簡単な説明】
【００２０】
【図１】本発明の第１実施形態の第１コネクタの斜視図である。
【図２】電気接続箱の第１、第２コネクタ収容部を示す図面である。
【図３】第１コネクタ収容部に第１コネクタを挿入する状態を示す図面である。
【図４】第１コネクタの第１コネクタ収容部への嵌合状態を示す図面である。
【図５】第１コネクタの第１コネクタ収容部への半嵌合状態を示す図面である。
【図６】本発明の第２実施形態の第１コネクタの斜視図である。
【図７】第１、第２コネクタを第１、第２コネクタ収容部に挿入する状態を示す図面である。
【図８】従来例を示す図面である。
【符号の説明】
【００２１】
１０  第１コネクタ
１１  突起
１５  第２コネクタ
２０  電気接続箱
２１  第１コネクタ収容部
２２  第２コネクタ収容部
２１ｂ、２２ｂ  突起挿通用の切欠
２３  突起収容用の切欠
３０  カバー
３３  突起
４０  バネ
Ｗ／Ｈ１、Ｗ／Ｈ２  ワイヤハーネス
【図１】
2005108498.tif 000003
【図２】
2005108498.tif 000004
【図３】
2005108498.tif 000005
【図４】
2005108498.tif 000006
【図５】
2005108498.tif 000007
【図６】
2005108498.tif 000008
【図７】
2005108498.tif 000009
【図８】
2005108498.tif 000010